(57)【要約】【課題】発熱源となる信号変換回路基板の冷却効果を高めて放射線検出パネルの損傷を効果的に抑制又は防止することができる放射線画像撮影装置を提供する。【解決手段】放射線画像撮影装置１０において、冷却媒体１０２の送給方向と平行な媒体送給路１０４の両側部に電荷信号を電圧信号に変換する機能を有する信号変換回路基板４４が設けられている。そして、冷却媒体１０２の内部には冷却媒体１０２を分流して信号変換回路基板４４側に導く冷却媒体分流部１２０が設けられている。【選択図】図４
2014166263.tif 000002
【特許請求の範囲】
【請求項１】
一端から他端へ冷却媒体が送給される媒体送給路と、
当該媒体送給路の上方に配設され、放射線から電荷信号が生成される放射線検出パネルと、
前記冷却媒体の送給方向と平行な前記媒体送給路の両側部に配設され、前記電荷信号を電圧信号に変換する機能を有する信号変換回路基板と、
前記媒体送給路内に設けられると共に、前記冷却媒体を分流して前記信号変換回路基板側に導く冷却媒体分流部と、
を備えた放射線画像撮影装置。
【請求項２】
前記媒体送給路の下方に配設され、当該媒体送給路の他端に形成された第１通気部を介して前記媒体送給路に送給された前記冷却媒体が排給される媒体排給路を備えた請求項１に記載の放射線画像撮影装置。
【請求項３】
前記媒体排給路内に配設され、前記電圧信号から放射線画像を生成する画像処理の機能を有する画像処理回路基板を備えた請求項２に記載の放射線画像撮影装置。
【請求項４】
前記画像処理回路基板の一部を貫通し、前記第１通気部からの前記冷却媒体を前記媒体排給路に排給する基板貫通部を備えた請求項３に記載の放射線画像撮影装置。
【請求項５】
前記媒体送給路内に前記信号変換回路基板からの熱を放出するヒートシンクを備えた請求項１〜請求項４のいずれか１項に記載の放射線画像撮影装置。
【請求項６】
前記媒体排給路の下方に配設され、当該媒体排給路に形成された第２通気部を介して当該媒体排給路で排給される前記冷却媒体の一部を分流して排給する媒体排給分流路を備えた請求項２〜請求項４のいずれか１項に記載の放射線画像撮影装置。
【請求項７】
前記媒体排給分流路内に配設され、少なくとも前記信号変換回路基板及び前記画像処理回路基板に供給される電源を生成する機能を有する電源回路基板を備えた請求項６に記載の放射線画像撮影装置。
【請求項８】
前記媒体送給路の一端側に当該媒体送給路内に前記冷却媒体を送給する吸気ファンが設けられ、前記媒体排給路に当該媒体排給路内の前記冷却媒体を排給する排気ファンが設けられている請求項２〜請求項４のいずれか１項に記載の放射線画像撮影装置。
【請求項９】
前記媒体送給路の一端側において前記吸気ファンよりも下流側に前記冷却媒体を前記媒体送給路に送給するクロスフローファンが設けられている請求項８に記載の放射線画像撮影装置。
【請求項１０】
前記冷却媒体分流部は、前記媒体送給路の一端側から他端側へ末広がりとなるＶ字形の偏向板により構成されている請求項１〜請求項９のいずれか１項に記載の放射線画像撮影装置。
【請求項１１】
前記偏向板は、対面する側に凸となる湾曲形状により構成されている請求項１０に記載の放射線画像撮影装置。
【請求項１２】
前記請求項１〜請求項１１のいずれか１項に記載の前記放射線検出パネル、前記信号変換回路基板、前記媒体送給路及び前記冷却媒体分流部が少なくとも筐体内部に配設されると共に、前記放射線検出パネル上の表面が撮影面とされる撮影台と、
前記撮影面上に設けられた放射線照射部と、
前記撮影面と前記放射線照射部との間に設けられた圧迫板と、
を備えた放射線画像撮影装置。
【発明の詳細な説明】
【技術分野】
【０００１】
本発明は、放射線画像撮影装置に関し、特に放射線検出パネルが内蔵された撮影台を冷却する機能を備えた放射線画像撮影装置に関する。
【背景技術】
【０００２】
医療用放射線画像撮影装置として、乳癌の早期発見等を目的としたマンモグラフィが知られている。マンモグラフィでは、被検者の被撮影体としての乳房が撮影台の撮影面と圧迫板との間に挟込まれ、圧迫板により乳房が圧迫された状態において、放射線画像が撮影されている。撮影台には放射線検出パネルが内蔵されており、乳房を透過した放射線が放射線検出パネルにおいて検出される。
【０００３】
下記特許文献１〜３には、撮影台の内部に組付けられた放射線検出パネル（放射線検出器）の冷却装置を備えた放射線画像撮影装置（マンモグラフィ）が開示されている。この冷却装置は、放射線検出パネルの検出面に沿って冷却媒体としての空気を流し、放射線検出パネルの全体を均一に冷却可能な構成とされている。
【先行技術文献】
【特許文献】
【０００４】
【特許文献１】特許第５０４２７５６号公報
【特許文献２】特許第５０４２７５７号公報
【特許文献３】特許第５０４２７６０号公報
【発明の概要】
【発明が解決しようとする課題】
【０００５】
ところで、放射線検出パネルでは、放射線から放射線画像情報としての電荷信号が生成される。この電荷信号はチャージアンプによって電圧信号に変換され、この電圧信号に画像処理が施されることにより放射線画像が生成される。チャージアンプによる信号変換前に電荷信号にノイズが乗ることを抑制するため、放射線検出パネルの近傍にチャージアンプを実装した回路基板が配置されている。しかしながら、チャージアンプはその動作に伴い発熱源となるので、熱が放射線検出パネルに与える影響が懸念される。一方、放射線から電荷信号に直接変換される直接変換型ＦＰＤ（Flat Panel Detector）方式の放射線検出パネルでは、放射線から電荷信号への変換層にアモルファスセレンが使用されている。この放射線検出パネルそのものは発熱源とはならないが、低温度において変換層が変質により損傷してしまう。
【０００６】
このため、上記特許文献１〜３に開示された放射線画像撮影装置では放射線検出パネルが冷却されるが、発熱源が冷却対象とされていないので、十分な冷却効果を期待することができなかった。
【０００７】
本発明は上記事実を考慮し、発熱源となる信号変換回路基板の冷却効果を高めて放射線検出パネルの損傷を効果的に抑制又は防止することができる放射線画像撮影装置を得ることが目的である。
【課題を解決するための手段】
【０００８】
上記課題を解決するため、本発明の第１実施態様に係る放射線画像撮影装置は、一端から他端へ冷却媒体が送給される媒体送給路と、媒体送給路の上方に配設され、放射線から電荷信号が生成される放射線検出パネルと、冷却媒体の送給方向と平行な媒体送給路の両側部に配設され、電荷信号を電圧信号に変換する機能を有する信号変換回路基板と、媒体送給路内に設けられると共に、冷却媒体を分流して信号変換回路基板側に導く冷却媒体分流部と、を備えている。
【０００９】
第１実施態様に係る放射線画像撮影装置では、放射線検出パネルにより放射線から生成された電荷信号が信号変換回路基板において電圧信号に変換される。放射線検出パネルが媒体送給路の上方に配設されると共に、信号変換回路基板が媒体送給路の両側部に配設されているので、放射線検出パネルから信号変換回路基板までの距離が短くなり、電荷信号にはノイズが乗り難い。
【００１０】
ここで、信号変換回路基板は冷却媒体の送給方向と平行に媒体送給路の両側部に配設されると共に、この媒体送給路内には冷却媒体分流部が設けられている。冷却媒体分流部は冷却媒体を分流して信号変換回路基板に導く。このため、冷却媒体が信号変換回路基板に沿って流れるので、信号変換回路基板の動作に伴い発生する熱は冷却媒体により吸収される。
【００１１】
本発明の第２実施態様に係る放射線画像撮影装置は、第１実施態様に係る放射線画像撮影装置において、媒体送給路の下方に配設され、媒体送給路の他端に形成された第１通気部を介して媒体送給路に送給された冷却媒体が排給される媒体排給路を備えている。
【００１２】
第２実施態様に係る放射線画像撮影装置では、媒体送給路の下方にこの媒体送給路の他端に形成された第１通気部を介して媒体排給路が設けられているので、媒体送給路から媒体排給路へ１方向に冷却媒体が排給される。このため、冷却媒体の流れの滞りが効果的に抑制されるので、冷却効率が向上される。
【００１３】
本発明の第３実施態様に係る放射線画像撮影装置は、第２実施態様に係る放射線画像撮影装置において、媒体排給路内に配設され、電圧信号から放射線画像を生成する画像処理の機能を有する画像処理回路基板を備えている。
【００１４】
第３実施態様に係る放射線画像撮影装置では、媒体排給路内に画像処理回路基板が設けられているので、画像処理回路基板の動作に伴い発生する熱が排給される冷却媒体により吸収される。このため、画像処理回路基板が発熱源となって放射線検出パネルに損傷を及ぼすことが効果的に抑制又は防止される。
【００１５】
本発明の第４実施態様に係る放射線画像撮影装置は、第３実施態様に係る放射線画像撮影装置において、画像処理回路基板の一部を貫通し、第１通気部からの冷却媒体を媒体排給路に排給する基板貫通部を備えている。
【００１６】
第４実施態様に係る放射線画像撮影装置では、画像処理回路基板の一部に基板貫通部が設けられているので、第１通気部から媒体排給路に至る冷却媒体の排給方向に直交する断面積（冷却媒体が流れる断面積）が増加される。このため、冷却媒体の流れの滞りが効果的に抑制されるので、冷却効率が向上される。また、冷却媒体が基板貫通部から画像処理回路基板に沿って流れるので、画像処理回路基板がその中央部分から冷却され、画像処理回路基板の冷却効率が向上される。
【００１７】
本発明の第５実施態様に係る放射線画像撮影装置は、第１実施態様〜第４実施態様のいずれかの放射線画像撮影装置において、媒体送給路内に信号変換回路基板からの熱を放出するヒートシンクを備えている。
【００１８】
第５実施態様に係る放射線画像撮影装置では、信号変換回路基板からの熱を放出するヒートシンクが媒体送給路内に設けられているので、信号変換回路基板の冷却効率が向上される。
【００１９】
本発明の第６実施態様に係る放射線画像撮影装置は、第２実施態様〜第４実施態様のいずれかの放射線画像撮影装置において、媒体排給路の下方に配設され、媒体排給路に形成された第２通気部を介して媒体排給路で排給される冷却媒体の一部を分流して排給する媒体排給分流路を備えている。
【００２０】
第６実施態様に係る放射線画像撮影装置では、媒体排給路の下方にこの媒体排給路に形成された第２通気部を介して媒体排給分流路が設けられているので、媒体送給路から媒体排給路及び媒体排給分流路へ２方向に分流して冷却媒体が排給される。このため、冷却媒体の流れの滞りが更に効果的に抑制されるので、冷却効率がより一層向上される。
【００２１】
本発明の第７実施態様に係る放射線画像撮影装置は、第６実施態様に係る放射線画像撮影装置において、媒体排給分流路内に配設され、少なくとも信号変換回路基板及び画像処理回路基板に供給される電源を生成する機能を有する電源回路基板を備えている。
【００２２】
第７実施態様に係る放射線画像撮影装置では、媒体排給分流路内に電源回路基板が設けられているので、電源回路基板の動作に伴い発生する熱が排給される冷却媒体により吸収される。このため、電源回路基板が発熱源となって放射線検出パネルに損傷を及ぼすことが効果的に抑制又は防止される。
【００２３】
本発明の第８実施態様に係る放射線画像撮影装置では、第２実施態様〜第４実施態様のいずれかの放射線画像撮影装置において、媒体送給路の一端側に媒体送給路内に冷却媒体を送給する吸気ファンが設けられ、媒体排給路に媒体排給路内の冷却媒体を排給する排気ファンが設けられている。
【００２４】
第８実施態様に係る放射線画像撮影装置によれば、媒体送給路の一端側に吸気ファンが設けられているので、媒体送給路内への冷却媒体の送給効率が向上される。更に、媒体排給路に排気ファンが設けられているので、媒体排給路内からの冷却媒体の排給効率が向上される。このため、冷却媒体の流れの滞りが効果的に抑制されるので、冷却効率が向上される。
【００２５】
本発明の第９実施態様に係る放射線画像撮影装置では、第８実施態様に係る放射線画像撮影装置において、媒体送給路の一端側において吸気ファンよりも下流側に冷却媒体を媒体送給路に送給するクロスフローファンが設けられている。
【００２６】
第９実施態様に係る放射線画像撮影装置によれば、媒体送給路の一端側において吸気ファンよりも下流側にクロスフローファンが設けられており、このクロスフローファンにより媒体送給路に冷却媒体が送給される。クロスフローファンでは、冷却媒体の送給幅が広くなり、かつ均一な送給量での冷却媒体が送給可能であるため、冷却効率が向上される。
【００２７】
本発明の第１０実施態様に係る放射線画像撮影装置は、第１実施態様〜第９実施態様に係る放射線画像撮影装置において、冷却媒体分流部は、媒体送給路の一端側から他端側へ末広がりとなるＶ字形の偏向板により構成されている。
【００２８】
第１０実施態様に係る放射線画像撮影装置では、冷却媒体分流部が偏光板により構成されており、この偏光板は媒体送給路の一端側から他端側へ末広がりとなるＶ字形を有する。このため、媒体送給路内を流れる冷却媒体が偏光板により分流されると共に、媒体送給路の両側部に配設された信号変換回路基板側に向かって冷却媒体の流れが偏向される。
【００２９】
本発明の第１１実施態様に係る放射線画像撮影装置では、第１０実施態様に係る放射線画像撮影装置において、偏向板は、対面する側に凸となる湾曲形状により構成されている。
【００３０】
第１１実施態様に係る放射線画像撮影装置によれば、偏光板が対面する側に凸となる湾曲形状により構成されているので、分流のときの冷却媒体の流れの抵抗が減少される。このため、冷却媒体の流れの滞りが効果的に抑制されるので、冷却効率が向上される。
【００３１】
本発明の第１２実施態様に係る放射線画像撮影装置は、第１実施態様〜第１１実施態様に係る放射線画像撮影装置の放射線検出パネル、信号変換回路基板、媒体送給路及び冷却媒体分流部が少なくとも筐体内部に配設されると共に、放射線検出パネル上の表面が撮影面とされる撮影台と、撮影面上に設けられた放射線照射部と、撮影面と放射線照射部との間に設けられた圧迫板と、を備えている。
【００３２】
第１２実施態様に係る放射線画像撮影装置では、撮影台、放射線照射部及び圧迫板を有するマンモグラフィにおいて、第１実施態様〜第１１実施態様に係る放射線画像撮影装置により得られる作用と同様の作用が得られる。
【発明の効果】
【００３３】
本発明に係る放射線画像撮影装置は、発熱源となる信号変換回路基板の冷却効果を高めて放射線検出パネルの損傷を効果的に抑制又は防止することができるという優れた効果を有する。
【図面の簡単な説明】
【００３４】
【図１】本発明の第１実施の形態に係る放射線画像撮影装置の全体構成を説明する概略側面図である。
【図２】図１に示される放射線画像撮影装置の主要部のブロック回路図である。
【図３】図１に示される放射線画像撮影装置の要部のブロック回路図である。
【図４】図１に示される放射線画像撮影装置の撮影台内部の一部を示す平面図である。
【図５】図５に示される撮影台内部の一部を示す概略的な側面図である。
【図６】図４及び図５に示される撮影台内部を示す一部が断面とされた斜視図である。
【図７】一部の構成要素を取除いて示す図６に対応する撮影台の斜視図である。
【図８】図６及び図７に示されるＦ８−Ｆ８線で切断し矢印方向からみた撮影台の一部の拡大断面図である。
【図９】図４等に示される撮影台内部の一部の構成要素の斜視図である。
【図１０】図９に示される構成要素を拡大して示す斜視図である。
【図１１】図７等に示される撮影台内部の一部の構成要素を拡大して示す斜視図である。
【図１２】図１１に示される構成要素の拡大側面図である。
【図１３】図６、図７等に示される撮影台内部の一部の構成要素の斜視図である。
【図１４】本発明の第２実施の形態に係る放射線画像撮影装置の撮影台内部の一部を示す図４に対応する平面図である。
【図１５】本発明の第３実施の形態に係る放射線画像撮影装置の撮影台内部の一部を示す図４に対応する平面図である。
【図１６】第３実施の形態の変形例に係る放射線画像撮影装置の撮影台内部の一部を示す図１４に対応する平面図である。
【発明を実施するための形態】
【００３５】
以下、添付の図面を参照しながら本発明に係る実施の形態を説明する。なお、図面において同一機能を有する構成要素には同一符号が付されており、重複する説明は適宜省略されている。また、図面において適宜示され、符号Ｘが付された方向は、放射線画像撮影装置に放射線撮影のために対向した状態の被検者（被撮影者）から見て左側から右側に向かう方向を示している。同様に、符号Ｙが付された方向は被検者の前面側（胸壁側）から放射線画像撮影装置の背面側に向かう方向を示しており、符号Ｚが付された方向は被検者の足下の下方側から放射線画像撮影装置の上方側に向かう方向を示している。すなわち、符号Ｘ、Ｙ、Ｚは、ＸＹＺ座標におけるＸ軸、Ｙ軸、Ｚ軸に一致する方向である。
【００３６】
［第１実施の形態］
本発明の第１実施の形態は、放射線画像撮影装置としてマンモグラフィ並びにそれに組み込まれた撮影台に本発明を適用した例を説明するものである。
【００３７】
（放射線画像撮影装置の全体構成）
図１に示されるように、第１実施の形態に係る放射線画像撮影装置１０はマンモグラフィである。この放射線画像撮影装置１０では立位状態にある被検者の乳房（被撮影体）が放射線の照射により撮影される構成とされている。なお、放射線画像撮影装置１０では、椅子例えば車椅子に着座した座位状態にある被検者、上半身だけが立位状態にある被検者の乳房も左右個別の撮影が可能とされている。
【００３８】
放射線画像撮影装置１０は、前面（被検者の胸壁）側に設けられた側面視で略Ｃ字状の形状を有する撮影部１２と、撮影部１２よりもＹ方向（背面）側に配設され撮影部１２を背面側から支える基台部１４とを備えている。撮影部１２は、下方側から上方側に向かってＺ方向に、撮影台１６と、保持部１８と、圧迫板２０と、支持部２２とを備えている。撮影台１６の最も上部には、被検者の乳房の下部が当接される撮影面２４が設けられている。特に形状が限定されるものではないが、ここでは平面視において撮影面２４の形状は、胸壁側から背面側に向かって若干末広がりとなる台形状とされている。放射線透過性や機械的強度の観点から、少なくとも撮影面２４は例えば炭素繊維強化プラスチックにより形成されている。保持部１８の下方側には撮影台１６が支持されている。保持部１８の撮影台１６によりも上方側には支持アーム２６を介して圧迫板２０が支持されている。
【００３９】
圧迫板２０は、撮影面２４との間に乳房を挟込み、この乳房をその頂部側から圧迫する構成とされている。圧迫板２０は、上方が開口された中空の有底四角柱により形成されている。第１実施の形態では、特に設けていないが、開口された上部を塞ぐ蓋部材が圧迫板２０に設けられてもよい。圧迫板２０は、撮影面２４に対して垂直方向（Ｚ方向）に移動可能とされている。また、支持アーム２６には図示を省略した回転軸が設けられており、この回転軸を中心として圧迫板２０が圧迫角度が調整可能とされている。
【００４０】
支持部２２は、保持部１８の上方にそれとは別の構成要素として設けられており、側面視において略逆Ｌ字状の形状とされている。この支持部２２の上側には撮影面２４に向けて撮影用或いは測定用としての放射線が照射可能とされる放射線照射部２８が設けられている。放射線照射部２８に対向する撮影台１６の内部には、後述する放射線検出器としての放射線検出パネル３０が設けられている。放射線検出パネル３０では、放射線照射部２８から圧迫板２０、乳房及び撮影面２４を透過し、乳房の画像情報を担持する放射線の照射を受けて画像情報が検出される。本実施の形態に係る放射線画像撮影装置１０では、放射線として、Ｘ線が使用されている。なお、本発明は、放射線として、Ｘ線に限定されない。例えば、放射線には、少なくとも医療に利用されるγ線、電子線、中性子線、陽子線、重粒子線等が含まれる。
【００４１】
基台部１４の上下方向の中間部には前面側に向かって水平方向に延びる図示を省略した回動軸が設けられている。この回動軸には支持部２２及び保持部１８が回転自在に軸支されている。つまり、回転軸を回転中心として、基台部１４に対して、支持部２２を含む撮影部１２が回転可能とされている。
【００４２】
（放射線画像撮影装置のシステム構成）
図２に示されるように、第１実施の形態に係る放射線画像撮影装置１０では、放射線照射部２８と、放射線検出パネル３０、信号変換回路基板４４、画像処理回路基板５０、電源部を含む電源回路基板６２等の撮影台１６に内蔵された回路と、コンソール８０とを備えて放射線画像生成システムが構築されている。
【００４３】
（放射線照射部の回路構成）
放射線照射部２８は放射線源７０と、線源制御部７２と、通信部７４とを備えている。通信部７４では、コンソール８０との間において曝射条件等の各種情報が送受信される。線源制御部７２では、通信部７４を介して受信された曝射条件に基づいて放射線源７０が制御される。線源制御部７２にはマイクロコンピュータが設けられており、このマイクロコンピュータのメモリには通信部７４を介して受信された曝射条件等の情報が格納される。曝射条件としては、例えば管電圧、管電流、曝射時間を含む情報が少なくとも含まれており、このような曝射条件に基づいて線源制御部７２により放射線源７０からの放射線の照射が制御される。
【００４４】
（撮影台内部の回路構成）
撮影台１６の内部に組込まれた放射線検出パネル３０は、走査線延在方向例えば縦方向に延在し、かつ出力線延在方向例えば横方向に複数配列された走査線３８と、出力線延在方向に延在し、かつ走査線延在方向に複数配列された出力線４０とを備えている。走査線３８と出力線４０との交差箇所には、放射線が入射されるとこの放射線から電荷信号を生成する検出画素３２が設けられている。検出画素３２は、走査線延在方向、出力線延在方向のそれぞれに沿って複数配列されている。検出素子３２は、放射線が入射されると電荷信号を生成する変換部３４と、走査線３８により出力線４０と変換部３４との間の導通、非導通の制御がなされるスイッチ部３６とを備えている。本実施の形態における放射線検出パネル３０には直接変換型ＦＰＤが採用されており、検出画素３２の変換部３４には例えばアモルファスセレンが使用されている。
【００４５】
更に、撮影台１６の内部には、ゲートドライバ４２と、信号変換回路基板４４と、画像処理回路基板５０と、電源部を含む電源回路基板６２と、高電圧発生部を含む高電圧装置６０と、ファン制御部６４とを備えている。
【００４６】
ゲートドライバ４２は放射線検出パネル３０に設けられた走査線３８に接続されている。ここで、後述する図６及び図９に示されるように、放射線検出パネル３０は平面視で矩形状とされており、ゲートドライバ４２は放射線画像撮影装置１０の背面側の一辺部に沿って配設されている。
【００４７】
信号変換回路基板４４は、放射線検出パネル３０に設けられた出力線４０に接続されており、検出素子３２の変換部３４により生成された電荷信号を電圧信号に変換するチャージアンプとしての機能を備えている。図３に示されるように、信号変換回路基板４４は、サンプルホールド回路４６、マルチプレクサ４７、アナログデジタル（Ａ／Ｄ）変換器４８を備えている。
【００４８】
サンプルホールド回路４６は、出力線４０毎に配設されており、オペアンプ４６Ａ、コンデンサ４６Ｂ及びスイッチ４６Ｃを備えている。コンデンサ４６Ｂ、スイッチ４６Ｃはいずれもオペアンプ４６Ａの入出力間に電気的に並列に接続されている。検出素子３２から出力線４０を通して伝送された電荷信号はサンプルホールド回路４６に保持される。サンプルホールド回路４６はオペアンプ４６Ａ及びコンデンサ４６Ｂによって電荷信号をアナログ信号（電圧信号）に変換する。サンプルホールド回路４６のスイッチ４６Ｃはコンデンサ４６Ｂに蓄積された電荷信号の放電を行うリセット回路として使用されている。サンプルホールド回路４６において変換されたアナログ信号はマルチプレクサ４７にシリアルに入力される。このマルチプレクサ４７はアナログデジタル変換器４８にアナログ信号をシリアルに出力する。アナログデジタル変換器４８では、アナログ信号がデジタル信号に変換される。
【００４９】
ここで、信号変換回路基板４４は、ゲートドライバ４２が設けられた一辺部並びに胸壁側の一辺部とは別の放射線検出パネル３０の対向する両辺部（被検体から見て右側辺部及び左側辺部）に沿って、各々、信号変換回路基板４４Ａ、４４Ｂとして分割して配設されている。検出素子３２の走査線延在方向の配列ピッチよりも、信号変換回路基板４４に搭載されたサンプルホールド回路４６の同一方向の配列ピッチが大きい構成とされている。このため、放射線検出パネル３０の対向する両辺部に信号変換回路基板４４Ａ、４４Ｂを備え、走査線延在方向に配列された出力線４０を信号変換回路基板４４Ａ、４４Ｂの各々に交互に接続する構成として、検出素子３２のサイズの縮小化並びに高密度化がなされている。また、放射線検出パネル３０は被検体に近接した箇所に配設されているので、この放射線検出パネル３０の辺部には信号変換回路基板４４を配設するスペースが確保されない。
【００５０】
図２に示されるように、画像処理回路基板５０は、信号処理部５２と、検出器制御部５４と、画像メモリ５６と、通信部５８とを備えている。信号処理部５２では、信号変換回路基板４４を経て変換されたデジタル信号に画像処理がなされ、放射線画像情報が生成される。信号処理部５２は画像メモリ５６に接続されており、信号処理部５２において生成された放射線画像情報が画像メモリ５６にシリアルに記憶される。画像メモリ５６は所定枚数分の放射線画像情報を記憶可能な記憶容量を備えており、放射線画像の撮影が行われる毎に撮影によって得られた放射線画像情報が画像メモリ２０６に順次記憶される。
【００５１】
検出器制御部５４は、ゲートドライバ４２、信号処理部５２、画像メモリ５６、通信部５８、電源部、高電圧発生部のそれぞれに接続されており、これらの制御を司る。検出器制御部５４はマイクロコンピュータを備えており、マイクロコンピュータはＣＰＵ（中央演算処理ユニット）、ＲＡＭやＲＯＭ等のメモリ、ハードディスク等の記憶部を備えて構築されている。
【００５２】
通信部５８は、検出器制御部５４からの制御に基づいて、外部機器との間において各種情報の送受信を行う。この形式に限定されるものではないが、第１実施の形態に係る通信部５８は、ＩＥＥＥ（Institute of Electrical and Electronics Engineers）８０２．１１ａ／ｂ／ｇ等に代表される無線ＬＡＮ（Local Area Network）規格に対応した無線通信部である。具体的には、通信部５８は、検出器制御部５４とコンソール８０との間において放射線画像の撮影に関する制御を行う各種情報の送受信、検出器制御部５４からコンソール８０への放射線画像情報の送信等を無線通信により行う。
【００５３】
電源回路基板６２の電源部はゲートドライバ４２、信号変換回路基板４４、画像処理回路基板５０等の各種回路に電力を供給する構成とされている。高電圧発生装置６０高電圧発生部は放射線検出パネル３０の変換部３４に高電圧を供給する構成とされている。また、ファン制御部６４は、後に説明する吸気ファン、排気ファン、クロスフローファンのそれぞれを駆動する制御を司る。
【００５４】
（コンソールの回路構成）
図２に示されるように、コンソール８０は、サーバコンピュータとして構築され、ディスプレイ８０Ａ及び操作パネル８０Ｃを備えている。ディスプレイ８０Ａは放射線画像撮影装置１０の操作メニュー、撮影された放射線画像等を表示するモニターである。操作パネル８０Ｃは、複数の操作キー、スイッチ等を備えており、各種情報や操作指示の入力を行える。コンソール８０は、ＣＰＵ８０Ｅと、ＲＯＭ８０Ｆと、ＲＡＭ８０Ｇと、ハードディスクドライブ（ＨＤＤ）８０Ｈと、ディスプレイドライバ８０Ｂと、操作入力検出部８０Ｄと、通信部８２とを備えている。
【００５５】
（撮影台内部の構造）
第１実施の形態に係る放射線画像撮影装置１０の撮影台１６では、図４〜図１０に示されるように、中空立方体形状の筐体１００により全体の輪郭が形作られている。筐体１００は、必要に応じて表面に絶縁処理が施されたカーボン繊維強化プラスチック（ＣＦＲＰ：Carbon Fiber Reinforced Plastics）、アルミニウム、鋼板等の材料により形成されている。
【００５６】
この撮影台１６の撮影面２４側の上段には、背面側の一端（図５中、符号１０４Ａ）から胸壁側の他端（図５中、符号１０４Ｂ）へ冷却媒体１０２が送給される媒体送給路１０４が設けられている。媒体送給路１００の上方側（撮影面２４側）には放射線検出パネル３０が配設されており、この放射線検出パネル３０の裏面が媒体送給路１００の上壁の一部として使用されている。図示を省略するが、実際には媒体送給路１００と放射線検出パネル３０との間には断熱材が設けられている。
【００５７】
冷却媒体１０２の送給方向と平行な媒体送給路１０４の両側部の被検者から見て左側の一方には信号変換回路基板４４Ａが配設されており、被検者から見て右側の他方には信号変換回路基板４４Ｂが配設されている。信号変換回路基板４４Ａ、信号変換回路基板４４Ｂはいずれも同一の構成とされている。第１実施の形態において、信号変換回路基板４４には、サンプルホールド回路４６、マルチプレクサ４７及びアナログデジタル変換器４８を集積回路（ＩＣチップ）４４Ｃとしてベースフィルム４４Ｄ上に実装したフレキシブル回路基板が使用されている。この信号変換回路基板４４の上方側の一端は放射線検出パネル３０の辺部に電気的かつ機械的に接続されており、下方側の他端は画像処理回路基板５０に電気的かつ機械的に接続されている。信号変換回路基板４４Ａは放射線検出パネル３０の一方の辺部に沿って胸壁側から背面側に複数配列されており、信号変換回路基板４４Ｂは放射線検出パネル３０の対向する他方の辺部に沿って胸壁側から背面側に複数配列されている。信号変換回路基板４４は媒体送給路１００の両側壁の一部として使用されている。
【００５８】
図４、図５、図７、図８〜図１１に示されるように、信号変換回路基板４４には、媒体送給路１０４内に突設し、信号変換回路基板４４の動作により発生する熱をこの信号変換回路基板４４から放出するヒートシンク１１０が設けられている。図１１及び図１２に示されるように、ヒートシンク１１０は、胸壁側から背面側に向かって延設された略水平な板状の放熱フィン１１０Ａを上下方向に複数枚略平行に配置して構成されている。この放熱フィン１１０Ａの枚数は特に限定されるものではないが、例えば３〜５枚が最適な枚数とされている。ヒートシンク１１０は、熱伝導性に優れかつ加工性に優れたアルミニウム、銅等の材料により形成されている。また、図８に示されるように、ヒートシンク１１０は、信号変換回路基板４４の集積回路４４Ｃ上に接着層１１２を介して取付けられる。接着層１１２には例えば伝熱ゲルが使用されている。また、信号変換回路基板４４のベースフィルム４４Ｄの集積回路４４Ｃが実装された表面とは反対側の裏面は接着層１１４を介して筐体１００の内壁に沿って設けられた内側フレーム１１６に固定されている。接着層１１６には接着層１１２と同様に伝熱ゲルが使用されている。
【００５９】
媒体送給路１０４の下方側には、筐体１００の側壁に取付けられた平板状の仕切りフレーム１１８が設けられている。この仕切りフレーム１１８は例えばアルミニウム、鋼板等の材料により形成されている。仕切りフレーム１１８は媒体送給路１０４の底壁の一部として使用されている。
【００６０】
図４〜図７に示されるように、媒体送給路１０４内には、冷却媒体１０２を分流して信号変換回路基板４４Ａ、信号変換回路基板４４Ｂのそれぞれに導く冷却媒体分流部１２０が設けられている。冷却媒体分流部１２０は、媒体送給路１０４の背面側から胸壁側へ平面視で末広がりとなるＶ字形をなす偏向板１２０Ａ及び偏向板１２０Ｂを備えている。ここでは、胸壁側にも冷却媒体１０２の送給方向と略直交する方向に延設された偏向板１２０Ｃが設けられており、冷却媒体分流部１２０の平面視における形状は三角形とされている。各々の偏向板１２０Ａ〜１２０Ｃは水平方向及び上下方向に沿って平面をなす平板の下部を水平方向に折曲げたＬ字形断面を有し、この折曲げた部分が仕切りフレーム１１８の表面に固定されている。特に材料が限定されるものではないが、偏向板１２０Ａ〜１２０Ｃは、アルミニウム、鋼板、樹脂等の材料により形成されている。
【００６１】
なお、図６及び図９に示されるように、媒体送給路１０４の上方であって、放射線検出パネル３０よりも背面側にはゲートドライバ４２が設けられている。また、図６及び図７に示されるように、媒体送給路１０４の上方であって、ゲートドライバ４２よりも更に背面側には高電圧発生装置６０が設けられている。
【００６２】
図４〜図７及び図１３に示されるように、媒体送給路１０４の下方には、媒体送給路１０４の胸壁側に形成された第１通気部１１８Ａを介して媒体送給路１０４に送給された冷却媒体１０２が排給される媒体排給路１３０が配設されている。第１通気部１１８Ａは、仕切りフレーム１１８を平面視で略矩形状に貫通して（切欠いて）形成されている。媒体排給路１３０は、撮影台１６の中段に位置し、胸壁側から背面側へ冷却媒体１０２を排給する。
【００６３】
図５〜図７に示されるように、媒体排給路１３０の上方側には仕切りフレーム１１８が設けられており、この仕切りフレーム１１８が媒体排給路１３０の上壁の一部として使用されている。媒体排給路１３０の下方側には仕切りフレーム１１８と略同様な構成の仕切りフレーム１３２が設けられており、この仕切りフレーム１３２が媒体排給路１３０の底壁の一部として使用されている。媒体排給路１３０の側壁には筐体１００の側壁が利用されている。なお、仕切りフレーム１１８の背面側から後に説明する吸気ファン１５０と排気ファンとの間まで仕切りフレーム１３２Ｃが延設されている。仕切りフレーム１３２Ｃは媒体送給路１０４と媒体排給路１３０との間を隔てる仕切板として構成されている。
【００６４】
図４〜図７及び図１３に示されるように、媒体排給路１３０の内部には、画像処理回路基板５０が配設されている。ここでは、画像処理回路基板５０は、放射線検出パネル３０と対向する箇所において、仕切りフレーム１１８の裏面側に取付けられている。画像処理回路基板５０には、第１通気口１１８Ａと重複する箇所において、一部を貫通し、第１通気部１１８Ａからの冷却媒体１０２を媒体排給路１３０に排給する基板貫通部５０Ａが設けられている。
【００６５】
図６及び図７に示されるように、媒体排給路１３０の更に下方には、媒体排給路１３０の胸壁側に形成された第２通気部１３２Ａを介して媒体排給路１３０に排給された冷却媒体１０２の一部を分流して排給する媒体排給分流路１４０が配設されている。第２通気部１３２Ａは、仕切りフレーム１３２を平面視で略矩形状に貫通して形成されている。媒体排給分流路１４０は、撮影台１６の下段に位置し、媒体排給路１３０の背面側に形成された第３通気部１３２Ｂを介して排給される冷却媒体１０２と合流され、胸壁側から背面側へ冷却媒体１０２を排給する。なお、第２通気部１３２Ａと第３通気部１３２Ｂとの間には仕切りフレーム１３２の一部が横切っており、仕切りフレーム１３２の剛性が高められている。
【００６６】
媒体排給分流路１４０の上方側には仕切りフレーム１３２が設けられており、この仕切りフレーム１３２が媒体排給分流路１４０の上壁の一部として使用されている。媒体排給路１４０の下方側には仕切りフレーム１３２と略同様な構成の仕切りフレーム１４２が設けられており、この仕切りフレーム１４２が媒体排給分流路１４０の底壁の一部として使用されている。媒体排給分流路１４０の側壁には筐体１００の側壁が利用されている。
【００６７】
図６に示されるように、媒体排給分流路１４０の内部には、電源回路基板６２が配設されている。ここでは、電源回路基板６２は、放射線検出パネル３０及び画像処理回路基板５０と対向する箇所において、仕切りフレーム１３２と仕切りフレーム１４２との中間に図７に示される支持台１４４上に取付けられている。
【００６８】
図４、図６及び図７に示されるように、媒体送給路１０４の背面側には媒体送給路１０４内に冷却媒体１０２を送給する吸気ファン１５０が設けられている。吸気ファン１５０にはプロペラファンが使用される。媒体排給路１３０及び媒体排給分流路１４０の背面側には媒体排給路１３０内及び媒体排給分流路１４０内の冷却媒体１０２を排給する排気ファン１５２が設けられている。吸気ファン１５０と同様に、排気ファン１５２にはプロペラファンが使用される。
【００６９】
また、媒体送給路１０４の背面側において吸気ファン１５０よりも下流側には冷却媒体１０２を媒体送給路１０４に送給するクロスフローファン１５４が設けられている。
（第１実施の形態の作用及び効果）
【００７０】
以上説明したように、本実施の形態に係る放射線画像撮影装置１０では、放射線検出パネル３０により放射線から生成された電荷信号が信号変換回路基板４４において電圧信号に変換される。放射線検出パネル３０が媒体送給路１０４の上方に配設されると共に、信号変換回路基板４４が媒体送給路１０４の両側部に配設されているので、放射線検出パネル３０から信号変換回路基板４４までの距離が短くなり、電荷信号にはノイズが乗り難い。
【００７１】
ここで、信号変換回路基板４４は冷却媒体１０２の送給方向と平行に媒体送給路１０４の両側部に配設されると共に、この媒体送給路１０４内には冷却媒体分流部１２０が設けられている。冷却媒体分流部１２０は冷却媒体１０２を分流して信号変換回路基板４４に導く。このため、冷却媒体１０２が信号変換回路基板４４に沿って流れるので、信号変換回路基板４４の動作に伴い発生する熱は冷却媒体１０２により吸収される。仮に、放射線検出パネル３０の変換部３４にアモルファスセレンが使用される場合、約３３度の環境温度でアモルファスセレンが変質する。
【００７２】
従って、本実施の形態に係る放射線画像撮影装置１０によれば、発熱源となる信号変換回路基板４４の冷却効果を高めて放射線検出パネル３０の損傷を効果的に抑制又は防止することができる。
【００７３】
また、本実施の形態に係る放射線画像撮影装置１０では、媒体送給路１０４の下方にこの媒体送給路１０４の他端に形成された第１通気部１１８Ａを介して媒体排給路１３０が設けられているので、媒体送給路１０４から媒体排給路１３０へ１方向に冷却媒体１０２が排給される。このため、冷却媒体１０２の流れの滞りが効果的に抑制されるので、冷却効率が向上される。
【００７４】
更に、本実施の形態に係る放射線画像撮影装置１０では、媒体排給路１３０内に画像処理回路基板５０が設けられているので、画像処理回路基板５０の動作に伴い発生する熱が排給される冷却媒体１０２により吸収される。このため、画像処理回路基板５０が発熱源となって放射線検出パネル３０に損傷を及ぼすことが効果的に抑制又は防止される。
【００７５】
また、本実施の形態に係る放射線画像撮影装置１０では、画像処理回路基板５０の一部に基板貫通部５０Ａが設けられているので、第１通気部１１８Ａから媒体排給路１３０に至る冷却媒体１０２の排給方向に直交する断面積（冷却媒体１０２が流れる断面積）が増加される。このため、冷却媒体１０２の流れの滞りが効果的に抑制されるので、冷却効率が向上される。また、冷却媒体１０２が基板貫通部５０Ａから画像処理回路基板５０に沿って流れるので、画像処理回路基板５０がその中央部分から冷却され、画像処理回路基板５０の冷却効率が向上される。
【００７６】
更に、本実施の形態に係る放射線画像撮影装置１０では、信号変換回路基板４４からの熱を放出するヒートシンク１１０が媒体送給路１０４内に設けられているので、信号変換回路基板４４の冷却効率が向上される。
【００７７】
また、本実施の形態に係る放射線画像撮影装置１０では、媒体排給路１３０の下方にこの媒体排給路１３０に形成された第２通気部１３２Ａを介して媒体排給分流路１４０が設けられているので、媒体送給路１０４から媒体排給路１３０及び媒体排給分流路１４０へ２方向に分流して冷却媒体１０２が排給される。このため、冷却媒体１０２の流れの滞りが更に効果的に抑制されるので、冷却効率がより一層向上される。
【００７８】
更に、本実施の形態に係る放射線画像撮影装置１０では、媒体排給分流路１４０内に電源回路基板６２が設けられているので、電源回路基板６２の動作に伴い発生する熱が排給される冷却媒体１０２により吸収される。このため、電源回路基板６２が発熱源となって放射線検出パネル３０に損傷を及ぼすことが効果的に抑制又は防止される。
【００７９】
また、本実施の形態に係る放射線画像撮影装置１０では、媒体送給路１０４の一端側に吸気ファン１５０が設けられているので、媒体送給路１０４内への冷却媒体１０２の送給効率が向上される。更に、媒体排給路１３０に排気ファン１５２が設けられているので、媒体排給路１３０内からの冷却媒体１０２の排給効率が向上される。このため、冷却媒体１０２の流れの滞りが効果的に抑制されるので、冷却効率が向上される。
【００８０】
更に、本実施の形態に係る放射線画像撮影装置１０によれば、媒体送給路１０４の一端側において吸気ファン１５０よりも下流側にクロスフローファン１５４が設けられており、このクロスフローファン１５４により媒体送給路１０４に冷却媒体１０２が送給される。クロスフローファン１５４では、冷却媒体１０２の送給幅が広くなり、かつ均一な送給量での冷却媒体１０２が送給可能であるため、冷却効率が向上される。
【００８１】
また、本実施の形態に係る放射線画像撮影装置１０では、冷却媒体分流部１２０が偏光板１２０Ａ、１２０Ｂにより構成されており、この偏光板１２０Ａ、１２０Ｂは媒体送給路１０４の一端側から他端側へ末広がりとなるＶ字形を有する。このため、媒体送給路１０４内を流れる冷却媒体１０２が偏光板１２０Ａ、１２０Ｂにより分流されると共に、媒体送給路１０４の両側部に配設された信号変換回路基板４４側に向かって冷却媒体１０２の流れが偏向される。
【００８２】
更に、本実施の形態に係る放射線画像撮影装置１０では、撮影台１６、放射線照射部２８及び圧迫板２０を有するマンモグラフィにおいて、上記作用効果と同様の作用効果が得られる。
【００８３】
［第２実施の形態］
本発明の第２実施の形態は、第１の実施の形態に係る放射線画像撮影装置１０の冷却媒体分流部１２０の形状を変えた例を説明するものである。
【００８４】
（冷却媒体分流部の構成）
図１４に示されるように、第２実施の形態に係る放射線画像撮影装置１０では、冷却媒体分流部１２０の偏向板１２０Ａ及び偏向板１２０Ｂが、特に分流開始の上流側において対面する側に凸となる湾曲形状により構成されている。偏向板１２０Ａ及び偏向板１２０Ｂの下流側では、逆に対面する側に凹となる湾曲形状により構成されている。平面視では、丁度、偏向板１２０Ａ、偏向板１２０ＢのそれぞれがＳ字形とされている。
【００８５】
本実施の形態に係る放射線画像撮影装置１０によれば、偏向板１２０Ａ及び偏向板１２０Ｂが対面する側に凸となる湾曲形状により構成されているので、分流のときの冷却媒体１０２の流れの抵抗が減少される。このため、冷却媒体１０２の流れの滞りが効果的に抑制されるので、冷却効率が向上される。
【００８６】
［第３実施の形態］
本発明の第３実施の形態は、第１の実施の形態、第２実施の形態の各々に係る放射線画像撮影装置１０の冷却媒体分流部１２０の構造を変えた例を説明するものである。
【００８７】
（冷却媒体分流部の構成）
図１５に示されるように、第３実施の形態に係る放射線画像撮影装置１０では、冷却媒体分流部１２０の偏向板１２０Ａ及び偏向板１２０Ｂに、その表面から媒体送給路１０４側に向かって突設された突起部１２０Ｄが設けられている。この突起部１２０Ｄは、ここではフィン状とされており、偏向板１２０Ａ、偏向板１２０Ｂのそれぞれの表面積が増加されている。
【００８８】
本実施の形態に係る放射線画像撮影装置１０によれば、冷却媒体分流部１２０の偏向板１２０Ａ及び偏向板１２０Ｂの表面積が突起部１２０Ｄにより増加されるので、冷却媒体分流部１２０により分流される冷却媒体１０２自体が冷却される。このため、上流側において冷却媒体１０２が冷却されるので、冷却媒体分流部１２０よりも下流側に配設された信号変換回路基板４４等の冷却効率がより一層向上される。
【００８９】
（変形例）
図１６に示されるように、第３実施の形態の変形例に係る放射線画像撮影装置１０では、図１５に示される冷却媒体分流部１２０と同様に、冷却媒体分流部１２０の偏向板１２０Ａ及び偏向板１２０Ｂに突起部１２０Ｄが設けられている。この変形例に係る放射線画像撮影装置１０では、第３実施の形態に係る放射線画像撮影装置１０により得られる作用効果と同様の作用効果が得られる。
【００９０】
（その他の実施の形態）
以上、本発明を複数の実施の形態を用いて説明したが、本発明は、上記実施の形態に限定されるものではなく、要旨を逸脱しない範囲において種々変更可能である。例えば、本発明は、マンモグラフィに限定されるものではなく、撮影台の冷却システムを有する放射線画像撮影装置に広く適用可能である。
【符号の説明】
【００９１】
１０  放射線画像撮影装置
１６  撮影台
２０  圧迫板
２８  放射線照射部
３０  放射線検出パネル
４４  信号変換回路基板
５０  画像処理回路基板
５０Ａ  基板貫通部
６２  電源回路基板
１００  筐体
１０２  冷却媒体
１０４  媒体送給路
１１０  ヒートシンク
１１８Ａ  第１通気部
１２０  冷却媒体分流部
１２０Ａ〜１２０Ｃ  偏向板
１３０  媒体排給路
１３２Ａ  第２通気部
１４０  媒体排給分流路
１５０  吸気ファン
１５２  排気ファン
１５４  クロスフローファン
【図１】
2014166263.tif 000003
【図２】
2014166263.tif 000004
【図３】
2014166263.tif 000005
【図４】
2014166263.tif 000006
【図５】
2014166263.tif 000007
【図６】
2014166263.tif 000008
【図７】
2014166263.tif 000009
【図８】
2014166263.tif 000010
【図９】
2014166263.tif 000011
【図１０】
2014166263.tif 000012
【図１１】
2014166263.tif 000013
【図１２】
2014166263.tif 000014
【図１３】
2014166263.tif 000015
【図１４】
2014166263.tif 000016
【図１５】
2014166263.tif 000017
【図１６】
2014166263.tif 000018